(57)【要約】【課題】ユーザがハイライトシーン撮影中に操作することなく、ハイライトの位置と、ハイライトの重要度と、をユーザの意思で記録する手段を提供する。【解決手段】あらかじめシステム制御部１０１に遡り時間を保持し、ユーザＩ／Ｆ１０３より入力されたハイライト釦取得情報と重み付け情報取得した時、システム制御部１０１はマーカ情報として遡り時間分遡った位置の情報と該重み付け情報を算出し、ドライブ制御部１０４を介し記録媒体１０５に記録する。ダイジェスト再生時は該マーカ情報に応じてダイジェスト再生位置を選択し、再生する。【選択図】  図５
2008098719.tif 000002
【特許請求の範囲】
【請求項１】
情報記録装置であって、
映像音声データを記録する記録部と、
映像音声データの特定箇所にマーカを設定することの指示を受けるマーカ設定指示部と、
前記記録部で映像音声データを記録しているとき、前記マーカ設定指示部で指示を受けると、当該映像音声データのうち指示を受けた時刻の場面よりも以前の時刻に記録した場面に対応する箇所にマーカを設定する制御部とを有する情報記録装置。
【請求項２】
請求項１の情報記録装置であって、
映像音声データの記録開始を指示する記録開始指示部と、
前記記録開始指示部で開始された映像音声データの記録の停止を指示する記録停止指示部とを有し、
前記制御部は、当該映像音声データのうち指示を受けた時刻の場面よりも以前の時刻に記録し、且つ、記録停止指示部で記録停止されてから記録した映像音声データの場面に対応する箇所にマーカを設定する情報記録装置。
【請求項３】
請求項１の情報記録装置であって、
前記マーカ設定指示部で指示された時刻の場面からマーカを設定する場面までの遡り情報を記憶するメモリを有し、
前記制御部は、前記メモリの遡り情報を用いてマーカを設定する情報記録装置。
【請求項４】
請求項３の情報記録装置であって、
記録する映像音声データを表示する表示部を有し、
前記制御部は、前記メモリの遡り情報に基づいて前記表示部に遡る秒数又は分数を表示し、当該秒数又は分数前の場面の箇所マーカを設定するかの確認をユーザに求める情報記録装置。
【請求項５】
請求項３の情報記録装置であって、
記録する映像音声データを表示する表示部を有し、
前記制御部は、前記メモリの遡り情報に基づいて場面を抽出して前記表示部に表示し、当該場面の箇所にマーカを設定するかの確認をユーザに求める情報記録装置。
【請求項６】
請求項５の情報記録装置であって、
前記表示部に表示した場面を前後の場面に変更する指示を受ける場面変更指示部を有し、
前記制御部は、前記場面変更指示部で変更され、ユーザに確認を受けた場面の箇所にマーカを設定する情報記録装置。
【請求項７】
請求項１の情報記録装置であって、
記録する映像音声データを表示する表示部と、
映像音声データの音声又は画像により場面を抽出する場面抽出部とを有し、
前記制御部は、前記記録部で映像音声データを記録しているときに前記マーカ設定指示部で指示を受けると、前記場面抽出部で抽出した場面を前記表示部に表示する情報記録装置。
【請求項８】
請求項７の情報記録装置であって、
前記場面抽出部は映像音声データから場面を抽出すると、ユーザに通知し、
前記制御部は、当該通知がされているときに、前記マーカ設定指示部で指示を受けると、当該抽出した場面を前記表示部に表示する情報記録装置。
【請求項９】
請求項７又は８の情報記録装置であって、
前記表示部に表示した場面を前後の場面に変更する指示を受ける場面変更指示部を有し、
前記制御部は、前記表示部に表示した場面の箇所にマーカを設定するかの確認をユーザに求め、前記場面変更指示部で変更されユーザに確認を受けた場面の箇所にマーカを設定する情報記録装置。
【請求項１０】
請求項１から９のいずれかの情報記録装置であって、
前記マーカ設定指示部は、指示及び重み付け情報を入力し、
前記制御部は、マーカを設定するとき重み付け情報をあわせて設定する。
【請求項１１】
請求項１０の情報記録装置であって、
前記マーカ設定指示部は、押下された圧力又は時間又は間隔又は釦の種類によって重み付け情報を入力する情報記録装置。
【請求項１２】
請求項１から１１のいずれかの情報記録装置であって、
前記制御部は、前記記録媒体のファイナライズ処理又は前記記録媒体から他の記録媒体へのダビング処理のとき、設定したマーカの位置でチャプタを区切る情報記録装置。
【請求項１３】
映像音声データを記録媒体に記録する情報記録方法であって、
映像音声データ記録中に、指示を受けた時刻から任意時間分前に遡った時刻のデータ位置にマーカを設定するマーカ設定ステップを有する情報記録方法。
【請求項１４】
請求項１３の情報記録方法であって、
マーカの重み付け情報を取得する重み付け情報取得ステップと、
該映像音声データと共にマーカの位置と該重み付け情報を該記録媒体に記録する記録ステップとを更に有する情報記録方法。
【請求項１５】
請求項１３の情報記録方法であって、
指示を受けた時刻から任意時間分前に遡った時刻のデータ位置が記録開始時刻より前かを判定する判定ステップと、
該判定結果が該遡った時刻のデータ位置が記録開始時刻より前と判定された場合、シーンの開始時刻の位置にマーカ設定するマーカ設定ステップとを更に有する情報記録方法。
【請求項１６】
請求項１３の情報記録方法であって、
映像又は音声の変化から特定場面を検出する場面検出ステップと、
該場面検出ステップによる検出を知らせる検出通知ステップとを有し、
前記マーカ設定ステップは、指示を受けると、該検出した場面に遡ってマーカを設定する情報記録方法。
【発明の詳細な説明】
【技術分野】
【０００１】
技術分野は、情報記録装置に関し、特に映像音声データ中のマーキングに関する。
【背景技術】
【０００２】
当技術分野の背景技術として、例えば特許文献１と２とがある。
【０００３】
特許文献１には課題として「ユーザが望む映像のハイライトシーンに適切にマーキングすること。」と記載され、解決手段として「映像及び音声の記録が可能であり、記録した映像及び音声の再生が可能な記録再生装置において、映像信号の明るさレベルを検出する明るさレベル検出部２１と、音声信号の音声レベルを検出する音声レベル検出部１９と、映像信号の明るさレベルのマーキング条件、及び／又は音声信号の音声レベルのマーキング条件を指定する入力部２５と、この入力部２５により指定されたマーキング条件を、検出部１９、２１の検出結果が満たす場合に、再生の位置をマーキングする制御をする制御部２３と、制御部２３の指令の下マーキング信号を出力するマーキング設定部２７と、マーキング信号に基づいてマーキングを記録媒体３１に記録する記録部１５とを備えた。」と記載されている。
【０００４】
また、特許文献２には課題として、「ダビングにあたって何も操作しなくても、ユーザの所望した位置でチャプタを自動的に設定できるようにする。」と記載され、解決手段として、「デジタルビデオカメラで撮影を行う場合、チャプタを設定したい箇所で静止画を撮影し挿入しておく。撮影した映像をカメラからハードディスクレコーダにダビングする際に、レコーダでは、映像データをＭＰＥＧエンコーダにより可変ビットレートで圧縮処理してハードディスクに記録する。このビットレートの値を閾値と比較し、閾値に満たない状態が一定区間以上連続すれば、映像が静止画であると判断して、その静止画の部分でチャプタを設定する。」と記載されている。
【０００５】
【特許文献１】特開２００４−１２０５５３号公報
【特許文献２】特開２００５−３１８１８０号公報
【発明の開示】
【発明が解決しようとする課題】
【０００６】
上記特許文献１では、映像や音声からハイライトシーンを抽出する。しかし、ユーザによってどの場面がハイライトシーン（ここではユーザの好みの場面の意として用いる）かが異なる。特にビデオカメラで個人が撮影する場合には、多数の子供の中から我が子の登場する場面をハイライトシーンとしたいなど、ユーザ毎の好みが大きく分かれるところである。このようにユーザの好みが分かれる状況において、映像や音声によってハイライトシーンを抽出することは困難である。
【０００７】
また特許文献２では、ユーザの所望した位置で静止画を撮影するようにしているが、例えば我が子が登場したときや笑ったところで、タイムリーに静止画を撮影しないとその部分をマーキングできない問題がある。また、早くマーキングしなければと焦ってボタンを押すなどの操作を加えると、ビデオカメラ（情報記録装置）本体が揺れて、撮影映像がブレたり雑音が入ったりするなどの弊害が生じる懸念もある。
【課題を解決するための手段】
【０００８】
そこで、例えば、ユーザがハイライトシーンの映像をきれいに保ちつつ、ハイライトシーンの位置や重要度を撮影中にでもユーザの意思で記録できる手段を提供する。
【０００９】
また、例えば、当該記録された映像から複数のハイライトシーンを抽出して再生（ダイジェスト再生）することなどを可能とする手段を提供する。
【００１０】
具体的に、本発明の代表的なある一面の概要は、上記課題を解決するため、ユーザがハイライトだと思った瞬間の所定時間後に専用釦などを押すと、ある程度の時間を遡った位置にマーカを設定し、釦を押したときの条件から重み付け情報とマーカのアドレス情報とを共に記録媒体に記録させる。また、再生時には、該重み付け情報と該アドレス情報とを用いてダイジェスト再生を行うことが可能である。
【００１１】
詳細には、特許請求の範囲に記載の構成を備える。
【発明の効果】
【００１２】
上記手段によれば、例えば、ユーザはそのユーザにとって見たいシーンを効率よく記録又は視聴することができる。
【００１３】
上記以外の課題、手段、効果は後述する実施例によって明らかにされる。
【発明を実施するための最良の形態】
【００１４】
以下、この発明に好適な実施形態の例について図面を参照しながら説明する。
【００１５】
なお、本明細書ではユーザの意図する映像音声や好みの映像音声をハイライトシーンと定義し、該ハイライトシーンの一部または全てを集めた映像を再生することをダイジェスト再生と定義する。
【実施例１】
【００１６】
図1は、映像音声データ（映像データ、画像データ、音声データともいう）を記録する情報記録装置の例として、ビデオカメラの構成例を示す図である。
【００１７】
システム制御部１０１はＣＰＵやメモリを持ち、上記した各ブロックを含むシステム全体を制御する。ＲＡＭ（Random Access Memory）１０２は、映像データ等の大容量データの一時的な格納場所、または各種制御プログラムの格納場所として使用する。ユーザＩ／Ｆ１０３には、釦操作などによりユーザからの指示を入力する。記録時には、カメラセンサ信号入力部（撮像部）１０６から画像圧縮伸長処理部１０７へ画像信号を渡す。また、本例のビデオカメラには、据え置き型レコーダのように外部からの画像信号を記録する機能があり、外部入出力Ｉ／Ｆ部１０８から画像信号を取得し、画像圧縮伸長処理部１０７へデータを渡す。ここでは画像信号の流れだけを示したが、これに付随する音声信号も処理する。
【００１８】
画像圧縮伸長処理部１０７は、ＭＰＥＧ（Moving Picture Experts Group）やＪＰＥＧ（Joint Photographic coding Experts Group）などの形式で符号化する処理を行う。画像圧縮伸長処理部１０７にて符号化された映像データは、ドライブ制御部１０４にて、記録媒体１０５に記録される。記録媒体１０５は、ＤＶＤ（Digital Versatile Disc）、ＢＤ（Blue-ray Disc）、ＨＤ（High Definition）−ＤＶＤ、ハードディスク、ＭＤ（Mini Disc）、ＣＤ（Compact Disc）、磁気ディスク、半導体メモリなど、デジタルデータを記録可能な各種の記録媒体を用いることができる。なお、再生時には、ドライブ制御部１０４によって記録媒体１０５に記録された映像データを読み出し、画像圧縮伸長処理部１０７にて所定の復号化を行い、外部入出力Ｉ／Ｆ部１０８から画像信号をモニタなどへ向けて出力する。
【００１９】
図２は、ユーザＩ／Ｆ１０３の詳細例を示す。
【００２０】
ハイライト釦２０１は、ハイライト釦が押されたかどうかを識別する釦信号取得部２０９と釦がどの程度の力で押されたかを取得する圧力取得部２０７に信号が伝わる。該圧力取得部２０７で取得した信号は、圧力判定部２０８であらかじめ指定されたレベルに判定された結果が、重み付け情報としてシステム制御部１０１へ出力される。電源釦２０３を押すと、釦信号取得部２０９にて、電源釦２０３が押されたことを検出し、電源が投入される。また、記録する時は、記録開始・停止釦２０２を押すと、釦信号取得部２０９にて、記録開始・停止釦２０２が押されたことを検出し、図１のシステム制御部１０１に通知され、記録が開始される。もう一度記録開始・停止釦２０２を押すと、記録停止となる。同様に、記録した映像データを再生する場合は再生・停止釦２０５、再生を停止する場合はもう一度再生・停止釦２０５を押す。その他にも、メニュー画面を表示する為のメニュー釦２０４、早送り・巻戻し釦する為の早送り・巻戻し釦２０６などを備える。図示していないが、モニタ上のサムネイルやメニュー項目を選択するときに用いるカーソル釦や、撮影画像をズームイン・ズームアウトさせるズーム釦、ＤＶＤ−Ｒ等をファイナライズ処理させるファイナライズ釦、ビデオカメラ内の複数の記録媒体間又はビデオカメラの記録媒体から外部装置の記録媒体への移動またはコピーを指示するダビング釦を備えてもよい。
【００２１】
図３は、ハイライト釦２０１が押された場合にビデオカメラ、特にシステム制御部１０１が実行する動作例を示す。
【００２２】
ユーザが記録媒体へ映像データの記録を開始する場合を説明する。
【００２３】
ステップＳ３０２において、ユーザによって記録開始釦２０２が押されたことを検出したか否かを判断し、記録開始釦２０２が押されたと検出するとステップＳ３０３へ進む。
【００２４】
ステップＳ３０３では、記録開始処理を行い、ドライブ制御部１０４により記録媒体に映像データの記録を開始する。
【００２５】
ステップＳ３０４では、記録停止釦２０２が押されたことを検出したか否かを判断し、押されたことを検出していなければステップＳ３０６へ進み、記録停止釦２０２が押されたことを検出していればステップＳ３０５へ進む。
【００２６】
ステップＳ３０６では、ハイライト釦２０１が押されたことを検出したか否かを判断し、押されたことを検出していなければステップＳ３０４へ戻り、押されたことを検出していれば、ステップＳ３０７に進む。
【００２７】
ステップＳ３０７では、ハイライト釦２０１が押された時間よりも所定時間分前の映像データの位置にマーカを設定する。このマーカの設定について、図４で後述する。
【００２８】
記録を開始すると、ユーザはハイライトシーンを含むシーンを撮影する。ハイライトシーンが終了した後の時刻ｔ２にシーンを撮影しながら（撮影停止釦２０２を押さずとも）ハイライト釦２０１を押すと、遡り時間Δｔ遡った位置、つまり時刻ｔ１の位置にマーカが設定される。よって、ユーザはハイライトシーンの撮影中はその撮影に専念でき、かつ撮影を継続しながら忘れないうちにハイライトシーンにマーカをつけることができる。シーンを撮影しながらハイライトシーンを付けておきたいシチュエーションとしては、例えば幼稚園のお遊戯会で、お遊戯の全体は切れ目無く撮影したいが特に我が子の見せ場ではハイライトとしてマークを付けておきたいといった状況が想定される。
【００２９】
また、ハイライト釦２０１には圧力取得部２０７が連動している場合には、ユーザから強く押されたのか弱く押されたのかをステップＳ３０６で合わせて判別する。強く押された時はより重要度の高いシーンであるとユーザが認識しており、弱く押した時は重要度の低いシーンであるといった、ユーザのシーンに対する重要度の度合いを、重み付け情報としてマーカの位置情報と共に設定できる。
【００３０】
なお、圧力取得部２０７のとは別に又は代わりにタイマを設けて、ハイライト釦２０１が押されている時間に応じて重要度の度合いを判別するようにしてもよい。また、ハイライト釦２０１を複数個用意し、釦によって重み付け量（重要度の度合い）を設定してもよい。ハイライト釦２０１を押した後に重み付け量を指定できるようにしてもよい。装置に設けてある既存のボタンを、ハイライト釦として用いることもできる。例えば、記録中に使用することのない再生開始停止釦２０５を押すことでマーカを設定することができる。これ以外にも、既存の釦を軽く押したり、短間隔で２度押したりするなどの特定の操作パターンによってもマーカを設定でき、その方法は特に限定されるものではない。もちろん、押し釦の代わりにリモコンからの設定も可能である。これらを組み合わせて用いることもできる。これらの操作がされたときに、どの程度の重み付け量を設定するかはユーザによって変更できるとなおよい。
【００３１】
また、釦を押す強さ等により、ユーザのシーンに対する重要度の度合いを設定できるとしたが、ユーザのシーンに対する重要度の度合いに限定されず、釦が押される強さ等によって、ある情報（例えばシーンの分類等）がマーカの位置情報と共に設定できることでユーザの利便性が向上する。
【００３２】
記録媒体には図６に示すように、ハイライトの重要度を表す重み付け情報と、ハイライトシーンのマーカの位置を示すアドレス情報を記録媒体に記録する。
【００３３】
図６の情報は、例えばＤＶＤに記録する場合にはＶＦ又はＶＲ規格とは別に、ビデオカメラの独自規格としてディスクに記録することが考えられる。ただしこの場合にはビデオカメラから外部装置（例えば据え置きのＤＶＤレコーダ）にダビングするとマーカが失われる懸念がある。その場合にはマーカをシーン（チャプタ）の区切り位置として編集する機能を有してもよい。この場合には撮影中と異なりシーンが変わっても映像が途切れることがない。ユーザが本機能を利用するか選択できるようにするとなおよい。ＤＶＤ−Ｒ等のファイナライズ処理においてもダビングするときと同様である。
【００３４】
規格においてマーカが規定されている場合には、その規定に則ることでダビング時等の変更が不要になる。例えばＤＶＤのＶＲ規格であっても、タイトルセット又はタイトルを１シーンに対応させれば、タイトルセット又はタイトルの下位構成であるチャプタの区切り目をマーカとして利用できる。ＢＤの規格であれば、例えばプレイリスト中のプレイアイテムを１シーンに対応させれば、プレイリストマークをマーカとして利用できる。
【００３５】
図４は、１シーンを記録しているとき、すなわち記録開始釦２０２が押されてから記録停止釦２０２が押されるまでの間に、ハイライト釦２０１が一度押された場合の映像データとマーカと時間との関係例を示す。図４は、記録された映像データを横軸に時間をとってマーカとの関係を模式的に示している。
【００３６】
時刻０から記録されたシーンに対し、ハイライト釦２０１が押された時刻をｔ２とすると、ハイライトシーンのマークを時刻ｔ２からΔｔ遡ったｔ１の位置に設定している。なお、記録停止釦２０２は、時刻ｔ２から後の時刻９で押されたものとする。なお、一つのシーン中に複数のハイライトシーンを設定することも可能である。
【００３７】
遡り時間Δｔの決定の仕方には二つの方法がある。
【００３８】
一つ目の方法は、例えばシステム制御部１０１やＲＡＭ１０２に予めΔｔを記憶し、システム制御部１０１でこれを用いる方法である。このＲＡＭ１０２等に記憶されたΔｔは、ユーザによってユーザＩ／Ｆ１０３のメニュー画面などから設定又は変更できるようにしておくとユーザの利便性が高い。ハイライトシーンと思った場所からゆっくりとマーカ位置を指定したいユーザはΔｔを長めに、すぐにマーカ位置を設定したいユーザはΔｔを短めに設定できる。
【００３９】
二つ目の方法は、ハイライト釦２０１が押されたときにユーザに問い合せる方法である。ハイライト釦２０１が押されると、モニタの画面に例えば「５秒前をハイライトシーンとして指定しますか？」とのメッセージを表示し、図２には図示しないカーソル釦等で５秒を任意の秒数や分数に増減させて指定する。この初期値＝５秒は予めユーザによって変更又は設定可能であるとよい。また例えば、ハイライト釦２０１が押されると、モニタの画面にピクチャインピクチャやウィンドウ表示のように、例えば５秒前のサムネイルを表示して、「この場面をハイライトシーンとして指定しますか？」とのメッセージを表示し、図２には図示しないカーソル釦等でシーンの時間軸の前後に所定時間単位（例えば１秒単位）で変えて表示し、ユーザの所望のハイライトシーンを設定させる。秒数等を指定させる方法に比べて視覚的に確認できるためユーザの利便性が高い。この初期値＝５秒と変化単位＝１秒は予めユーザによって変更又は設定可能であるとよい。
【００４０】
ハイライトシーンの長さは一律ではなく、二つ目の方法によればユーザの所望の位置をよりユーザの意思に近く設定できる。ただし、ハイライトシーンは終わったもののシーンを引き続いて撮影しているため、二つ目の方法のように撮影中に問合せメッセージを表示されるとその撮影に集中できないというユーザもいるかもしれない。そのようなユーザには一つ目の方法が有効である。ユーザによって上記の方法を切り替えられるようにしてもよい。
【００４１】
なお、Δｔはそのシーンを超えてセットできないようにする、例えば図４ではｔ２が時刻７付近で押されているため、Δｔを８としてしまうと前のシーンにマーカが設定されてしまいかねないが、ユーザはそのシーンの中のハイライトシーンを指定したいとすればシーン内に収まるようΔｔを制限するのがよい。例えば、ハイライト釦２０１が押されたときにΔｔをユーザに問い合せる方法であれば、Δｔの上限をｔ２からシーン開始時刻とする。また、予め設定されたΔｔの初期値がｔ２からシーン開始時刻までの時間を越えているときにはΔｔをｔ２からシーン開始時刻としたり（つまりマーカをシーン開始時刻＝シーン先頭、開始シーンをハイライトシーンとしたり）、予め設定されたΔｔの初期値の所定割合（例えば半分）の値としたりする。
【実施例２】
【００４２】
実施例１では、遡り時間Δｔを事前設定又はユーザによる指定によって決める例を説明した。実施例２では、従来の特定場面の自動検出機能と組み合わせて、撮影中に遅れてハイライト釦２０２を押下しても、遡ってハイライトシーンにマーカをセットする例を説明する。特定場面の自動検出の機能は、従来のものを流用できるものとし、例えば冒頭で引用した特許文献１に記載されているように、例えば、映像の明るさや音声のレベルによってシーンを特定される機能を用いてもよい。実施例１と同様な点は説明を省略する。
【００４３】
図５は、１シーンを記録しているとき、すなわち記録開始釦２０２が押されてから記録停止釦２０２が押されるまでの間に、ハイライト釦２０１が一度押された場合の映像データとマーカと時間との関係例を示す。図５は、記録された映像データを横軸に時間をとってマーカとの関係を模式的に示している。
【００４４】
第１の方法では、１シーンを撮影中に自動検出機能を作動させておき、撮影している映像から自動検出機能で音量が所定の値を超えるなどした場面（例えば拍手の場面）を検出すると、モニタ上に「ハイライト」や「ハイライトシーン候補を抽出しました」等のメッセージ等を表示して通知する。この通知は、ビデオカメラ本体のランプを点灯させる方法や、筐体を振動させる方法などでもよく、特に限定しない。このときユーザがハイライト釦を押下すると、検出さえた場面の時刻ｔ２よりも遅れたｔ１で押されたとしても、ｔ１の位置にハイライトシーンを示すマーカをセットできる。従来のハイライトシーンの自動検出機能だけでは、ビデオカメラが抽出した場面とユーザがハイライトと思うハイライトシーンとが一致するとは限らない課題があったが、本方法によれば、ビデオカメラが抽出した場面の中からさらにユーザが選んで、しかも撮影中にハイライトマークを付すことができる。なお、実施例１と組み合わせることで、ビデオカメラが抽出できなかった（しなかった）場面さえも、ユーザの選択で撮影中にハイライトシーンを指定できるためさらによい。
【００４５】
第２の方法では、１シーンを撮影中にハイライトシーンとユーザが思う場面があったときに、その場面から遅れた時刻ｔ２にハイライト釦２０１が押下された場合、時刻ｔ２から前に撮影された映像の中から特定場面を自動検出する機能によって特定場面を抽出する。検出した特定場面は、そのままハイライトシーンとして図６のように記録してもよいし、ユーザにサムネイルをピクチャインピクチャでモニタに表示して確認を求め、確認を得てからハイライトシーンとして記録してもよい。特定場面の自動検出機能は、ハイライト釦２０１が押下されてから起動しても、それ以前から起動していて押下されてから特定場面を抽出しても、予め抽出しておき押下されてから表示するようにしても、いずれでもよい。特定場面を自動検出する範囲は、シーンの先頭からであってもよいし、ハイライト釦２０１が押下された時刻（ｔ１）から所定時間前まで（例えば１０秒前まで且つ当該シーン内）としてもよい。
【００４６】
また、実施例１のように、例えば、圧力センサによって、強く押されれば、該自動的に検出されたハイライトシーンｔ１は、重要度の高いシーンであるとユーザが認識しており、弱く押した時は重要度の低いシーンであると認識しているといった、ユーザのシーンに対する重要度の度合い等を、重み付け情報としてマーカの位置情報と共に設定できる。
【００４７】
最後に、実施例１や実施例２で、マーカがセットされたシーンの再生方法について説明する。
【００４８】
上述した重み付け度合い（重み付け情報）が用いられている場合、再生前にどの重要度もの以上を再生するかの閾値を設定する。
【００４９】
該閾値と、重み付け情報とをを比較し重み付け情報のほうが大きければ、そのマーカを有効にして、ダイジェスト再生を行う。
【００５０】
ダイジェスト再生の一例として、マーカ近傍数十秒を再生し、次のマーカ近傍を再生するといった方法があるが、本発明はこれに限定されない。
【００５１】
以上のように、設定したいマーカの時刻と、マーカを設定する操作（ハイライト釦の押下など）を行う時刻とをずらすことで、ハイライトシーンを撮影しているときには、撮影に専念できるばかりでなく、その時点では操作せずともよいのでハイライトシーンでの映像がブレてしまうといった問題を回避できる。また、撮影時にハイライトシーンを設定できるため、後日に改めて編集する手間をなくし又は減らし、また、撮影したばかりユーザの印象が鮮明なうちに作業できるメリットがある。また、ユーザがハイライト釦を押す際には、指定するハイライトシーンの後から押すので、そのハイライトシーンがどんな場面であったのかを知っているため、そのハイライトシーン（マーカ）の重要度を指定することができる。すなわち、ハイライトシーンを後からマーカの設定する時刻をずらすことで、マーカの位置のシーンがユーザにとってどの程度重要だったかを表す度合いを撮影時に記録できる。また、その情報をダイジェスト再生する際の重み付け情報として、ユーザの意図するダイジェスト再生が可能となり、ユーザは撮影した映像データを効率よく視聴することができるようになる。
【図面の簡単な説明】
【００５２】
【図１】情報記録再生装置の構成例を示すブロック図である。
【図２】ユーザＩ／Ｆの構成例を示すブロック図である。
【図３】ハイライト釦操作時の処理例を示すフロー図である。
【図４】実施例１におけるマーカ設定例を示す概念図である。
【図５】実施例２におけるマーカ設定例を示す概念図である。
【図６】記録媒体に記録されたデータのフォーマット例を示すデータ図である。
【符号の説明】
【００５３】
１０１  システム制御部
１０２  ＲＡＭ
１０３  ユーザＩ／Ｆ
１０４  ドライブ制御部
１０５  記録媒体
１０６  カメラセンサ信号入力部
１０７  画像圧縮伸長処理部
１０８  外部入出力Ｉ／Ｆ
２０１  ハイライト釦
２０２  記録開始・停止釦
２０３  電源釦
２０４  メニュー釦
２０５  再生・停止釦
２０６  早送り・巻戻し釦
２０７  圧力取得部
２０８  圧力判定部
２０９  釦信号取得部
【図１】
2008098719.tif 000003
【図２】
2008098719.tif 000004
【図３】
2008098719.tif 000005
【図４】
2008098719.tif 000006
【図５】
2008098719.tif 000007
【図６】
2008098719.tif 000008